(57)【要約】      （修正有）【課題】構造を簡単に改善して組立性及び生産性を向上させた消火システム用フロースイッチを提供すること。【解決手段】ボディー11に固定されるシーリングプレート12及びガイドプラグ13によって機密を維持しながらシャフト14の回動を案内構造とすることにより、構造を簡単にし、ボディーに十分確保された空間部を利用してシーリングプレート及びガイドプラグを組み立てる組立性向上をはかり、電子式時間遅延装置22を利用してリミットスイッチ19の駆動時間をカウントさせ、フロースイッチが誤動作する現象をあらかじめ防止させるとともにセット時間調節作業の利便性を上げる。【選択図】図１
2007109647.tif 000002
【特許請求の範囲】
【請求項１】
貫通された空間部、凹面及び定着面を有するボディーと、前記ボディーに形成された空間部を通じて回動可能に設置され、先端にはベーンが固定されたシャフトと、前記シャフトに挿入固定されるとともに両側に長いボスが形成され、一側のボス外周面に維持溝が形成されて、ボディーの凹面に挿着されるシーリングプレートと、前記ボディーに固定部材で固定され、シーリングプレートの離脱を防止し、支持部を有する設置板と、前記ボディーの定着面に固定設置されるとともに、楕円形の通孔を備えてシャフトの回動を案内するガイドプラグと、前記設置板の外側に突出したシャフトと支持部との間に設置され、シャフトを垂直状態に維持する引張スプリングと、前記引張スプリングの反対側に位置するように設置板に設置され、シャフトの回動を感知するリミットスイッチと、前記リミットスイッチに電気的に接続され、時間遅延機能をする電子式時間遅延装置とを含む、消火システム用フロースイッチ。
【請求項２】
前記設置板に基板が設置され、前記基板にはリミットスイッチが設置され、前記リミットスイッチが設定時間以上に動作する場合にだけ、その信号が前記電子式時間遅延装置を回路的に経由して防災組に伝達される、請求項１に記載の消火システム用フロースイッチ。
【請求項３】
前記ボディーに形成された定着面上に対向して突起が形成され、ガイドプラグには突起が結合する溝が形成され、前記ガイドプラグに形成された溝に突起に結合した状態で、ガイドプラグがボディーにコーキングで固定されている、請求項１に記載の消火システム用フロースイッチ。
【請求項４】
前記シャフトに突起が形成され、ガイドプラグには、突起が当接するように、シャフトの回転曲率に合わせて膨出曲面部が形成されている、請求項１に記載の消火システムのフロースイッチ。
【請求項５】
前記シーリングプレートのボスが位置するシャフトの外周面に溝または突起が形成されている、請求項１に記載の消火システムのフロースイッチ。
【請求項６】
前記シーリングプレートに、シャフトの回動方向に対して直角方向に細長い溝が形成されている、請求項１に記載の消火システム用フロースイッチ。
【発明の詳細な説明】
【技術分野】
【０００１】
本発明は消火システム上に設置され、火災の発生によってスプリンクラーから散水が始まれば、散水による水の流れによって作動して、火災が発生したことを防災組に自動に知らせるフロースイッチに係り、より詳しくは構造を簡単に改善して組立性及び生産性を向上させる消火システム用フロースイッチに関する。
【背景技術】
【０００２】
図９は一般的な消火システムを示すもので、消火システムの管路上に設置されるハウジング１にフロースイッチ２を設置することで、火災の発生によって開閉バルブ３が開放すれば、通路に取り付けられたディスク９が流量を感知して、フロースイッチ２が動作する。
【０００３】
すなわち、火災の発生によって、天井に設置されたスプリンクラー４が動作して管路５上の圧力が低下するとともに給水されれば、水路に設置されているディスク９が感知するので、フロースイッチ２がリミットスイッチ（図示せず）を動作させて、これを防災組に知らせることはもちろんのこと、火災警報を発することになり、よって火災に速かに対処することができる。
【０００４】
図１０は特許文献１に開示された公知のフロースイッチを示す縦断面図、図１１は従来のフロースイッチにおけるシール部材を示す縦断面図である。
【０００５】
同図に示すように、ボディー６に形成された空間部６ａ内にシャフト７がピン８を中心として回動できるようになっており、前記シャフト７の先端には、流体の流れまたは圧力変化によって抵抗を有するベーン９が挿入されているか、あるいは別途の固定部材（ピンなど）によって固定されている。
【０００６】
そして、ボディー６とシャフト７との間には、シャフト７の回動時、気密を維持することはもちろん、シャフト７の回動動作が円滑になるようにするシール部材１０が位置しているが、前記シール部材１０はシャフト７に挿入されている。
【０００７】
前記バルブ体１０は、シャフト７との十分な接触面積を有するように、一端にボス１０ａが形成され、他端には、ボディー６に形成された維持溝６ｂ内に気密を維持するように、環状の膨出縁１０ｂが形成されており、膨出縁とボス１０ａ間は肉厚さが次第に厚くなるように形成されている。
【０００８】
これは、圧力差または流体の流れによってシャフト７がピン８を中心として回動する過程で、シール部材１０によって抵抗を最小化しながら気密を最大に維持するためである。
【０００９】
【特許文献１】米国特許第３，９２１，９８９号明細書
【発明の開示】
【発明が解決しようとする課題】
【００１０】
しかし、このような構造を有する従来のフロースイッチは、火災発生時の動作には大きな困難がないが、次のような問題が発生した。
【００１１】
すなわち、消防管路上で漏水またはウォーターハンマーが発生するか、あるいはテストの際、流路上に位置しているベーンが一時的に動きながらシャフトを回動させる場合には、リミットスイッチが動作して防災官に誤通報をする致命的な欠陷を有する。
【００１２】
また、シャフトに挿入されたシール部材をボディーの空間部を通じて組み立てるのに大きな不便さがあるため、生産性が低下する。
【００１３】
したがって、シャフトが回動してリミットスイッチを動作させても、誤通報を最小化するために、リミットスイッチが設定時間以上に動作する場合にだけ、火災と認識し、これを防災組に知らせる一方、そうではない場合には、これを防災組に知らせないようにしている。
【００１４】
前述したように、リミットスイッチが設定時間の間に動作させるために、これまではエアタイマーを用いているから、消火システムの設備費用が高くつくことはもちろん、エアタイマーはダイヤフラムを使うから、誤動作を引き起こす致命的な欠陷を表した。
【００１５】
また、その構造が複雑であるから、設定時間を調節するのに多くの困難さを隋伴した。
【００１６】
したがって、本発明は、このような従来の問題を解決するためになされたもので、構造を改善することで、ボディーにシーリングプレートが挿入されたシャフトをより手軽く組み立てることができるようにすることを目的とする。
【００１７】
本発明の他の目的は、シャフトがリミットスイッチを設定時間以上に動作させるかどうかを電子式で判断し、これを防災室に知らせることにある。
【課題を解決するための手段】
【００１８】
前記目的を達成する本発明は、貫通された空間部、凹面及び定着面を有するボディーと、前記ボディーに形成された空間部を通じて回動可能に設置され、先端にはベーンが固定されたシャフトと、前記シャフトに挿入固定されるとともに両側に長いボスが形成され、一側のボス外周面に維持溝が形成されて、ボディーの凹面に挿着されるシーリングプレートと、前記ボディーに固定部材で固定され、シーリングプレートの離脱を防止し、支持部を有する設置板と、前記ボディーの定着面に固定設置されるとともに、楕円形の通孔を備えてシャフトの回動を案内するガイドプラグと、前記設置板の外側に突出したシャフトと支持部との間に設置され、シャフトを垂直状態に維持する引張スプリングと、前記引張スプリングの反対側に位置するように設置板に設置され、シャフトの回動を感知するリミットスイッチと、電子式時間遅延装置とを含む、消火システム用フロースイッチを提供する。
【００１９】
本発明によれば、ボディーにシーリングプレートが挿入されたシャフトをより易く組立てることができる。
【００２０】
また、本発明によれば、シャフトがリミットスイッチを設定時間以上に動作させるかどうかを電子式で判断し、これを防災室に知らせることができる。
【発明の効果】
【００２１】
本発明のフロースイッチは、従来に比べて次の利点を有する。
【００２２】
第一に、ボディーに固定されるシーリングプレート及びガイドプラグによって気密を維持しながらシャフトの回動を案内するので、フロースイッチの構造が簡単になる。
【００２３】
第二に、ボディーに十分に確保された空間部を利用してシーリングプレート及びガイドプラグを組み立てることになるので、組立性を向上させることができる。
【００２４】
第三に、電子式時間遅延装置を利用してリミットスイッチの駆動時間をカウントするので、フロースイッチが誤動作する現象をあらかじめ防止することはもちろん、セット時間の調節作業が便利になる。
【発明を実施するための最良の形態】
【００２５】
以下、本発明をその一実施例を示す図１〜図８を参照して説明する。
【００２６】
図１は本発明を示す縦断面図、図２は図１の平面図、図３は本発明において、水の流れによってシャフトが回動した状態を示す図である。同図に示すように、本発明は、ボディー１１を貫通する空間部１１ａが形成され、前記空間部の一側には、シーリングプレート１２が挿着される環状凹面１１ｂが形成され、空間部の反対側には、ガイドプラグ１３が定着する定着面１１ｃが備えられている。
【００２７】
ボディー１１に形成された凹面１１ｂに挿着されるシーリングプレート１２は、図４、図５及び図６に示すように、両側に長いボス１２ａが形成されることにより、このボスを通じてシャフト１４に挿入固定され、一側のボス外周面には、シャフト１４の回動がより円滑になされるように維持溝１２ｂが形成されている。
【００２８】
すなわち、シャフト１４の回動部位で、図５のように、シーリングプレート１２の肉厚さを減少させて、シャフト１４の回動動作がより円滑になされるようにしたものである。
【００２９】
また、図６に示すように、シーリングプレート１２にシャフト１４の回動方向に対して直角方向に細長い溝１２ｃが形成されているが、これは、シャフト１４の回動の際、維持溝１２ｂ及び溝１２ｃによってシャフト１４がより円滑に動作できるようにする。
【００３０】
一方、シャフト１４に挿入固定されるシーリングプレート１２がシャフト１４で遊動しないように、ボス１２ａが位置するシャフト１４の外周面に溝１４ａまたは突起（図示せず）を形成することがより望ましい。
【００３１】
これによって、シャフト１４でシーリングプレート１２の位置が可変しないことはもちろんのこと、シャフト１４とシーリングプレート１２の接続面での気密維持を一層確実に保障することができる。
【００３２】
ボディー１１に形成された凹面１１ｂに挿着されたシーリングプレート１２は支持部１５ａを有する設置板１５によって固定され、前記設置板１５はボルトのような固定部材１６によってボディー１１に固定される。
【００３３】
また、ボディー１１に形成された定着面１１ｃに固定されて、シャフト１４の回動を案内するガイドプラグ１３には、図８に示すように、シャフト１４が貫通する楕円形の通孔１３ａが形成されている。
【００３４】
そして、ボディー１１には対向する一対の突起１１ｄが形成され、ガイドプラグ１３には、前記突起と結合する溝１３ｂが形成される。
【００３５】
よって、ガイドプラグ１３に形成された溝１３ｂが突起１１ｄと結合した状態で、ガイドプラグ１３をボディー１１にコーキングで固定すれば、別途の部品を使わなくてもボディー１１にガイドプラグ１３を固定することができる。
【００３６】
この際、図７に示すように、シャフト１４に突起１４ｂを形成し、ガイドプラグ１３には、突起１４ｂが当接するように、シャフト１４の回転曲率に合わせて膨出曲面部１３ｃを形成すれば、消防水管路上に高圧力が作用しても、シャフト１４が後方に押される現象をあらかじめ防止する。
【００３７】
設置板１５の外側に露出したシャフト１４と支持部１５ａとの間には、ベーン１７に外力が作用しない時、シャフト１４を垂直状態に維持するための引張スプリング１８がかかっている。
【００３８】
そして、引張スプリング１８の反対側に位置する設置板１５には、シャフト１４の回動を感知するリミットスイッチ１９が設置されている。
【００３９】
一方、設置板１５の一側に基板２０が設置されており、基板には、リミットスイッチ１９の動作を遅延させるリレー２１と、電子式時間遅延装置２２とが設置されているので、設定時間以上にリミットスイッチ１９が接続を持続する場合にだけ、前記リレー及び電子式時間遅延装置２２を通じて外部（防災室）に信号が伝達されるように構成されている。
【００４０】
したがって、リレー２１が電子式であるので、リミットスイッチ１９が動作する時間の調節が一層容易になることはもちろん、誤動作の現象をあらかじめ防止することができる。
【００４１】
よって、本発明のフロースイッチが消防水の管路上に設置され、外力が作用しない時には、図１に示すように、シャフト１４が垂直状態を維持している。
【００４２】
このような状態で、開閉バルブ３の動作によって消防水管路上に消防水が矢印方向に流れる場合（湿式タイプ）には、シャフト１４が引張スプリング１８を引張させながらシーリングプレート１２のボス１２ａを中心として回動するで、図３に示すように、シャフト１４がリミットスイッチ１９を動作させる。
【００４３】
このように、シャフト１４が回動する場合は、火災発生によってスプリンクラー４が動作する状態はもちろん、消防管路上で漏水またはウォーターハンマーが発生するか、あるいはテストを実施する時である。
【００４４】
しかし、リミットスイッチ１９の動作時間を電子式時間遅延装置２２がカウントし、設定時間以上に動作する場合にだけ火災と認識して防災組に連絡し、電子式時間遅延装置２２にセットされた時間以下にリミットスイッチが動作する場合には、防災室に知らせなくなるので、フロースイッチ２の誤動作をあらかじめ防止することができる。
【００４５】
前述したように、圧力差または消防水の流れによって回動するシャフト１４は、ガイドプラグ１３に形成された膨出曲面部１３ｃに突起１４ｂが当接して後方に押されなくなるので、シーリングプレート１２との間で気密を維持することができる。
【産業上の利用可能性】
【００４６】
本発明は、火災の発生時、散水による水の流れによって作動して、火災が発生したことを防災組に自動に知らせる消火システム用フロースイッチに適用可能である。
【図面の簡単な説明】
【００４７】
【図１】本発明の実施例を示す縦断面図。
【図２】図１の実施例の平面図。
【図３】本発明において、水の流れによってシャフトが回動した状態を示す図。
【図４】本発明において、シーリングプレートを示す斜視図。
【図５】図４のＡ−Ａ線についての断面図。
【図６】図４のＢ−Ｂ線についての断面図。
【図７】本発明において、シャフトの側面図。
【図８】本発明において、ガイドプラグを示す低面図。
【図９】消火システムにおいて、フロースイッチが設置された状態の概略図。
【図１０】従来のフロースイッチを示す縦断面図。
【図１１】従来のフロースイッチにおいて、シール部材を示す縦断面図。
【符号の説明】
【００４８】
２    フロースイッチ
４    スプリンクラー
１１    ボディー
１２    シーリングプレート
１３    ガイドプラグ
１４    シャフト
１５    設置板
１７    ベーン
１８    引張スプリング
１９    リミットスイッチ
２１    リレー
２２    電子式時間遅延装置
【図１】
2007109647.tif 000003
【図２】
2007109647.tif 000004
【図３】
2007109647.tif 000005
【図４】
2007109647.tif 000006
【図５】
2007109647.tif 000007
【図６】
2007109647.tif 000008
【図７】
2007109647.tif 000009
【図８】
2007109647.tif 000010
【図９】
2007109647.tif 000011
【図１０】
2007109647.tif 000012
【図１１】
2007109647.tif 000013